(57)【要約】【課題】複数種類のインクのそれぞれに対して、インクの硬化までの時間を適切に制御する。【解決手段】紫外線の照射により硬化する紫外線硬化型のインクを用いて印刷を行う印刷装置１０であって、複数種類のインクのインク滴を媒体５０に対して吐出する印刷ヘッド部１４と、媒体５０上のインクへ紫外線を照射する紫外線照射部１６とを備え、インク滴が吐出されてから当該インクへの紫外線の照射が開始されるまでの時間である照射前時間は、複数種類のインクのそれぞれ毎に設定されており、紫外線照射部１６は、それぞれのインクに対して設定された照射前時間が経過したタイミングで、それぞれのインクへ紫外線を照射する。【選択図】図１
2010005934.tif 000002
【特許請求の範囲】
【請求項１】
紫外線の照射により硬化する紫外線硬化型のインクを用いて印刷を行う印刷装置であって、
複数種類の前記インクのインク滴を前記媒体に対して吐出する印刷ヘッド部と、
前記媒体上の前記インクへ紫外線を照射する紫外線照射部と
を備え、
前記インク滴が吐出されてから当該インクへの紫外線の照射が開始されるまでの時間である照射前時間は、前記複数種類のインクのそれぞれ毎に設定されており、
前記紫外線照射部は、それぞれの前記インクに対して設定された前記照射前時間が経過したタイミングで、それぞれの前記インクへ紫外線を照射することを特徴とする印刷装置。
【請求項２】
前記紫外線照射部は、紫外線の光源として、ＵＶＬＥＤを有することを特徴とする請求項１に記載の印刷装置。
【請求項３】
前記印刷ヘッド部は、前記複数種類の前記インクのインク滴として、ＣＭＹＫインクの各色の前記インクのインク滴を吐出することを特徴とする請求項１又は２のいずれかに記載の印刷装置。
【請求項４】
前記印刷ヘッド部は、前記ＣＭＹＫインクの各色の前記インク滴をそれぞれが吐出する複数の各色用ヘッドを有し、
前記紫外線照射部は、それぞれが前記複数の各色用ヘッドそれぞれに対応し、対応する前記各色用ヘッドから吐出されて前記媒体に着弾した前記インクへ紫外線を照射する複数の各色インク用光源部を有し、
それぞれの前記各色用ヘッドは、予め設定された主走査方向へ移動しつつ前記媒体へ前記インク滴を吐出し、
前記複数の前記各色用ヘッドは、前記主走査方向と直交する副走査方向へ並べて設けられ、
前記複数の各色インク用光源部のそれぞれは、対応する前記各色用ヘッドと前記主走査方向において隣接して設けられ、前記主走査方向へ移動しつつ、前記媒体上の前記インクへ紫外線を照射し、
前記各色用ヘッドと前記各色インク用光源部との前記主走査方向における距離は、当該距離を前記各色インク用光源部が移動する移動時間が当該各色用ヘッドから吐出される前記インクに対応する前記照射前時間となる距離であることを特徴とする請求項３に記載の印刷装置。
【請求項５】
前記印刷ヘッド部は、前記ＣＭＹＫインクの各色の前記インク滴をそれぞれが吐出する複数の各色用ヘッドを有し、
前記紫外線照射部は、それぞれが前記複数の各色用ヘッドそれぞれに対応し、対応する前記各色用ヘッドから吐出されて前記媒体に着弾した前記インクへ紫外線を照射する複数の各色インク用光源部を有し、
前記複数の前記各色用ヘッドは、前記印刷ヘッド部に対して相対的に前記媒体が搬送される搬送方向へ並べて設けられ、
前記複数の各色インク用光源部のそれぞれは、対応する前記各色用ヘッドの前記搬送方向下流側にそれぞれ設けられ、
前記各色用ヘッドと前記各色インク用光源部との前記搬送方向における距離は、当該距離を前記媒体が搬送される搬送時間が当該各色用ヘッドから吐出される前記インクに対応する前記照射前時間となる距離であることを特徴とする請求項３に記載の印刷装置。
【請求項６】
前記印刷ヘッド部は、前記複数種類の前記インクのインク滴として、全面印刷用のインクのインク滴を更に吐出し、
前記全面印刷用インクの前記照射前時間は、前記ＣＭＹＫインクの各色の前記照射前時間よりも長く設定されることを特徴とする請求項３から５のいずれかに記載の印刷装置。
【請求項７】
紫外線の照射により硬化する紫外線硬化型のインクを用いて印刷を行う印刷方法であって、
複数種類の前記インクのインク滴を前記媒体に対して吐出する吐出段階と、
前記媒体上の前記インクへ紫外線を照射する紫外線照射段階と
を備え、
前記インク滴が吐出されてから当該インクへの紫外線の照射が開始されるまでの時間である照射前時間は、前記複数種類のインクのそれぞれ毎に設定されており、
前記紫外線照射段階は、それぞれの前記インクに対して設定された前記照射前時間が経過したタイミングで、それぞれの前記インクへ紫外線を照射することを特徴とする印刷方法。
【発明の詳細な説明】
【技術分野】
【０００１】
本発明は、印刷装置及び印刷方法に関する。
【背景技術】
【０００２】
従来、紫外線硬化型のインクを用いる印刷装置が知られている（例えば、特許文献１参照）。このような印刷装置においては、例えば、インクジェットヘッドと一体に設けられたＵＶ照射手段により、紫外線の照射を行う。また、このような印刷装置において、例えばカラー印刷を行う場合には、それぞれ色が異なる複数種類のインクが用いられる。
【特許文献１】特開２００４−３５８７６９号公報
【発明の開示】
【発明が解決しようとする課題】
【０００３】
例えばインクジェット方式の印刷装置により印刷を行う場合、媒体に着弾したインクは、硬化するまでの間、媒体上で拡散する。そのため、硬化後のインクのドットサイズは、例えば硬化までの時間に応じて、大きくなる。また、インクの滲みの幅は、硬化までの時間に応じて拡がる。
【０００４】
ここで、高精細な印刷を行うためには、滲みを抑えつつ、印刷精度に応じたドットサイズでインクを硬化させる必要がある。そのため、高精細な印刷を行うためには、インクの硬化までの時間を適切に制御することが重要になる。また、カラー印刷を行う印刷装置のように、複数種類のインクを用いる場合、それぞれのインクに対して、インクの硬化までの時間を適切に制御することが重要になる。
【０００５】
しかし、従来、このような制御の重要性は十分に認識されていなかった。そのため、例えば紫外線硬化型の複数種類のインクを用いる場合において、従来の印刷装置の構成では、それぞれのインクに対して、インクの硬化までの時間を適切に制御することが困難な場合があった。
【０００６】
例えば、一のインクジェットヘッドから複数種類のインクのインク滴を吐出した後、複数種類のインクに対して同時に紫外線を照射する場合、媒体上の各位置において、インクの着弾から紫外線の照射開始までの時間が、インク毎に異なることとなる。そして、この場合、このタイミングのずれの影響により、インク毎のドットサイズのずれが生じるおそれもある。そこで、本発明は、上記の課題を解決できる印刷装置及び印刷方法を提供することを目的とする。
【課題を解決するための手段】
【０００７】
上記の課題を解決するために、本発明は、以下の構成を有する。
（構成１）紫外線の照射により硬化する紫外線硬化型のインクを用いて印刷を行う印刷装置であって、複数種類のインクのインク滴を媒体に対して吐出する印刷ヘッド部と、媒体上のインクへ紫外線を照射する紫外線照射部とを備え、インク滴が吐出されてから当該インクへの紫外線の照射が開始されるまでの時間である照射前時間は、複数種類のインクのそれぞれ毎に設定されており、紫外線照射部は、それぞれのインクに対して設定された照射前時間が経過したタイミングで、それぞれのインクへ紫外線を照射する。複数種類のインクのうち、少なくとも一部のインクに対応する照射前時間は、例えば、他のインクの照射前時間と異なる時間に設定される。複数種類のインクのそれぞれに対応する照射前時間は、例えば、印刷ヘッド部と紫外線照射部との位置関係等の構造により設定される。照射前時間は、印刷装置の動作を制御するプログラム中において設定されてもよい。
【０００８】
このように構成すれば、例えば、複数種類のインクのそれぞれに対して、インクの硬化までの時間を適切に制御できる。これにより、ドットサイズや滲みの幅を適切に制御し、高精細な印刷を行うことができる。
【０００９】
また、印刷結果における光沢度は、インクの硬化までの時間が長くなるほど大きくなる。そのため、このように構成すれば、更に、複数種類のインクのそれぞれに対して、硬化後の光沢度を適切に制御できる。また、ドットサイズ、滲みの幅、及び光沢度等のバランスを適切に制御することもできる。また、複数種類のインクのそれぞれに対してこれらの制御を行うことにより、インクの種類毎の特性の違いを適切に補正できる。
【００１０】
尚、照射前時間は、例えば、それぞれのインクに対して、硬化後に形成すべき目標のドットサイズ、インクを硬化させるのに必要な紫外線の累積強度、及び媒体上においてインクが拡がる速さであるインク拡散速度等に応じて設定される。紫外線の累積強度は、例えば一定面積あたりの累積強度の密度である。照射前時間は、紫外線照射部が照射する紫外線の強度に更に基づいて設定されることが好ましい。
【００１１】
また、目標のドットサイズは、例えば一部のインクに対して、他のインクと異なってもよい。例えば、印刷ヘッド部が、複数種類のインクとして、白色又はクリア色等の全面印刷用のインクと、ＣＭＹＫインク等のカラー印刷用のインクとを吐出する場合、例えば全面印刷用のインクのドットサイズを、カラー印刷用のインクのドットサイズよりも大きくすることが好ましい場合がある。このような場合、全面印刷用のインクに対する照射前時間は、カラー印刷用のインクよりも大きなドットサイズを考慮して設定される。また、カラー印刷用のインクに対する照射前時間は、全面印刷用のインクよりも小さなドットサイズを考慮して設定される。
【００１２】
（構成２）紫外線照射部は、紫外線の光源として、ＵＶＬＥＤを有する。ＵＶＬＥＤは、例えば紫外線ランプ等と比べ、点灯と消灯との切り替えを行いやすい。そのため、このように構成すれば、紫外線を照射するタイミングを、より適切に制御できる。
【００１３】
（構成３）印刷ヘッド部は、複数種類のインクのインク滴として、ＣＭＹＫインクの各色のインクのインク滴を吐出する。
【００１４】
カラー印刷用のＣＭＹＫインクに対しては、ドットサイズ等の制御を、より高精度で行うことが求められる。また、そのためには、インクの硬化までの時間をより高い精度で制御することが求められる。
【００１５】
これに対し、このように構成すれば、例えば、ＣＭＹＫインクの各色のインクに対して、インクの硬化までの時間を適切に制御できる。また、これにより、例えば、高精細なカラー印刷を適切に行うことができる。
【００１６】
尚、ＣＭＹＫインクの各色のインクに対し、照射前時間は、例えば、硬化までの間にインクが拡散する幅が同程度になるように設定される。このように構成すれば、例えば、各色のインクについて、硬化後のドットサイズが同程度になる。ドットサイズが同程度になるとは、例えば、それぞれのインクの硬化後のドットサイズが、印刷の精度に対応して予め設定された範囲内のサイズになることである。また、印刷装置は、ＣＭＹＫインク以外のインクを更に用いてもよい。例えば、印刷ヘッド部は、例えば白色又はクリア色（クリアコート剤）等の、全面印刷用のインクのインク滴を更に吐出してもよい。
【００１７】
（構成４）印刷ヘッド部は、ＣＭＹＫインクの各色のインク滴をそれぞれが吐出する複数の各色用ヘッドを有し、紫外線照射部は、それぞれが複数の各色用ヘッドそれぞれに対応し、対応する各色用ヘッドから吐出されて媒体に着弾したインクへ紫外線を照射する複数の各色インク用光源部を有し、それぞれの各色用ヘッドは、予め設定された主走査方向へ移動しつつ媒体へインク滴を吐出し、複数の各色用ヘッドは、主走査方向と直交する副走査方向へ並べて設けられ、複数の各色インク用光源部のそれぞれは、対応する各色用ヘッドと主走査方向において隣接して設けられ、主走査方向へ移動しつつ、媒体上のインクへ紫外線を照射し、各色用ヘッドと各色インク用光源部との主走査方向における距離は、当該距離を各色インク用光源部が移動する移動時間が当該各色用ヘッドから吐出されるインクに対応する照射前時間となる距離である。
【００１８】
このように構成すれば、例えば、ＣＭＹＫインクの各色のインクに対し、個別の照射前時間を適切に設定できる。また、これにより、ＣＭＹＫインクの各色のインクに対して、インクの硬化までの時間を適切に制御できる。
【００１９】
（構成５）印刷ヘッド部は、ＣＭＹＫインクの各色のインク滴をそれぞれが吐出する複数の各色用ヘッドを有し、紫外線照射部は、それぞれが複数の各色用ヘッドそれぞれに対応し、対応する各色用ヘッドから吐出されて媒体に着弾したインクへ紫外線を照射する複数の各色インク用光源部を有し、複数の各色用ヘッドは、印刷ヘッド部に対して相対的に媒体が搬送される搬送方向へ並べて設けられ、複数の各色インク用光源部のそれぞれは、対応する各色用ヘッドの搬送方向下流側にそれぞれ設けられ、各色用ヘッドと各色インク用光源部との搬送方向における距離は、当該距離を媒体が搬送される搬送時間が当該各色用ヘッドから吐出されるインクに対応する照射前時間となる距離である。この搬送方向は、例えば、印刷装置における副走査方向である。
【００２０】
このように構成すれば、例えば、ＣＭＹＫインクの各色のインクに対し、個別の照射前時間を適切に設定できる。また、これにより、ＣＭＹＫインクの各色のインクに対して、インクの硬化までの時間を適切に制御できる。
【００２１】
（構成６）印刷ヘッド部は、複数種類の前記インクのインク滴として、全面印刷用のインクのインク滴を更に吐出し、全面印刷用インクの照射前時間は、ＣＭＹＫインクの各色の照射前時間よりも長く設定される。全面印刷用のインクとは、例えば、例えば白色又はクリア色等のインクである。
【００２２】
このように構成すれば、例えば、全面印刷用のインクを、ＣＭＹＫインクよりも広い範囲に拡散させることができる。また、これにより、全面印刷を効率よく適切に行うことができる。紫外線照射部は、全面印刷用のインクに対し、対応する照射前時間の経過後に、紫外線を照射する。
【００２３】
（構成７）紫外線の照射により硬化する紫外線硬化型のインクを用いて印刷を行う印刷方法であって、複数種類のインクのインク滴を媒体に対して吐出する吐出段階と、媒体上のインクへ紫外線を照射する紫外線照射段階とを備え、インク滴が吐出されてから当該インクへの紫外線の照射が開始されるまでの時間である照射前時間は、複数種類のインクのそれぞれ毎に設定されており、紫外線照射段階は、それぞれのインクに対して設定された照射前時間が経過したタイミングで、それぞれのインクへ紫外線を照射する。このようにすれば、例えば、構成１と同様の効果を得ることができる。
【発明の効果】
【００２４】
本発明によれば、例えば、複数種類のインクのそれぞれに対して、インクの硬化までの時間を適切に制御できる。
【発明を実施するための最良の形態】
【００２５】
以下、本発明に係る実施形態を、図面を参照しながら説明する。図１は、本発明の一実施形態に係る印刷装置１０の構成の一例を示す。印刷装置１０は、紫外線の照射により硬化する紫外線硬化型のインクを用いて印刷を行うインクジェットプリンタであり、制御部１２、ローラ１８、印刷ヘッド部１４、及び紫外線照射部１６を備える。印刷装置１０は、例えばガイドレールや他のローラ等を更に備えてもよい。
【００２６】
制御部１２は、例えば印刷装置１０のＣＰＵであり、印刷装置１０の各部の動作を制御する。例えば、印刷装置１０の印刷動作において、制御部１２は、印刷ヘッド部１４に、媒体５０へインク滴を吐出する吐出段階を行わせる。また、制御部１２は、紫外線照射部１６に、紫外線照射段階を行わせる。また、制御部１２は、ローラ１８に、媒体５０の搬送を行わせる。
【００２７】
ローラ１８は、媒体５０を搬送するローラである。ローラ１８は、印刷装置１０において予め設定されたＸ方向（副走査方向）と平行な搬送方向へ、媒体５０を搬送する。これにより、ローラ１８は、印刷ヘッド部１４に対して相対的に、媒体５０を移動させる。尚、本発明の変形例においては、ローラ１８により媒体５０を搬送する代わりに、印刷ヘッド部１４の側を、媒体５０に対して副走査方向へ移動させてもよい。
【００２８】
印刷ヘッド部１４は、マルチパス方式で印刷を行うインクジェットヘッドである。本例において、印刷ヘッド部１４は、Ｘ方向へ並べて設けられる４個の各色用ヘッド２０と、２個の各色用ヘッド２４とを有する。複数の各色用ヘッド２０、２４は、それぞれ異なるインクのインク滴を吐出するスキャン方式用のインクジェットヘッドであり、Ｘ方向と直交するＹ方向（主走査方向）への往復動作を行うスキャン動作により、Ｙ方向へ移動しつつ、媒体５０へインク滴を吐出する。
【００２９】
本例において、４個の各色用ヘッド２０のそれぞれは、カラー印刷の一次色であるＣＭＹＫインクの各色のインク滴をそれぞれ吐出する。２個の各色用ヘッド２４のそれぞれは、媒体５０の印刷領域の全面に吐出される全面印刷用のインクである白色（Ｗ）及びクリア色（ＣＬ）のインクのインク滴をそれぞれ吐出する。これにより、印刷ヘッド部１４は、複数種類のインクのインク滴を媒体５０に対して吐出する。
【００３０】
紫外線照射部１６は、媒体５０に着弾したインクへ紫外線（ＵＶ光）を照射する紫外線照射装置である。本例において、紫外線照射部１６は、それぞれの各色用ヘッド２０、２４に対して２個ずつ設けられた複数の各色インク用光源部２２を有する。各色用ヘッド２０、２４に対応する２個の各色インク用光源部２２は、対応する各色用ヘッド２０、２４をＹ方向の両側から挟むように、各色用ヘッド２０、２４と隣接して設けられる。また、各色インク用光源部２２は、対応する各色用ヘッド２０、２４のスキャン動作時に各色用ヘッド２０、２４と共にＹ方向へ移動しつつ、紫外線を照射する。これにより、各色インク用光源部２２は、各色用ヘッド２０、２４から吐出されたインクへ紫外線を照射する。
【００３１】
尚、本例において、各色用ヘッド２０、２４と、各色インク用光源部２２とのＹ方向における距離は、各色用ヘッド２０、２４から吐出されるインクの特性に応じて個別に設定されている。この距離の設定については、後に詳しく説明する。
【００３２】
本例によれば、各色用ヘッド２０、２４から吐出されたインクを、各色インク用光源部２２により、適切に硬化させることができる。また、これにより、紫外線硬化型のインクを用いて、適切にカラー印刷を行うことができる。
【００３３】
図２は、媒体５０へのインク滴の着弾からインクの定着までの様子の一例を示す。図２（ａ）は、媒体５０へ着弾する直前のインク滴の状態の一例を示す。図２（ｂ）は、媒体５０へ着弾した直後のインクの状態の一例を示す。媒体５０への着弾後、インクは、媒体５０に沿って拡散することにより、平坦化する。
【００３４】
図２（ｃ）は、各色インク用光源部２２による紫外線の照射開始直後の状態の一例を示す。各色インク用光源部２２は、媒体５０へインクが着弾した後、所定のタイミングで、紫外線を照射する。このタイミングは、例えば、各色用ヘッド２０、２４と各色インク用光源部２２との間の距離により設定されている。
【００３５】
ここで、紫外線硬化型のインクは、例えば、所定の累積強度の紫外線の照射により硬化する。この累積強度は、例えば、紫外線の強度と照射時間の積の密度である。そのため、紫外線の照射を開始しても、インクが完全に硬化するまでには、ある程度の時間を要する。そのため、インクの平坦化は、紫外線の照射の開始から、完全に硬化するまでの間にも進む。また、各色インク用光源部２２は、インクの上を通り過ぎる間に紫外線を照射し続けることにより、各位置のインクに対して、累積強度分の紫外線を照射する。
【００３６】
図２（ｄ）は、硬化により媒体５０に定着したインクの状態の一例を示す。インクは、媒体５０への着弾から硬化までの時間に応じたドットサイズに拡がった状態で、媒体５０に定着する。このように、インクは、着弾後、硬化までの間、媒体５０上で徐々に拡がる。そのため、高い精度で印刷を行うためには、各色用ヘッド２０、２４から吐出される各色のインク滴に対して、媒体５０への着弾後、硬化までの時間を適切に制御することが必要になる。
【００３７】
また、そのためには、特に、ドットサイズ等の制御が重要となるカラー印刷用のインクであるＣＭＹＫインクの各色に対し、色毎の特性に応じて、紫外線を照射するタイミングを制御する必要がある。例えば、各色のインクを同じドットサイズで硬化させようとする場合、媒体５０上でのインク拡散速度や、インクを硬化させるのに必要な紫外線の累積強度等の違いに応じて、紫外線の照射のタイミングを異ならせることが好ましい。
【００３８】
図３は、紫外線の照射のタイミングの影響の一例を説明する図である。図３（ａ）は、紫外線の照射のタイミングと滲み幅Ｗの関係の一例を示す。
【００３９】
カラー印刷を行う場合、印刷装置１０は、ＣＭＹＫインクのそれぞれの色のインク滴を、媒体５０上において近接する領域へ吐出する。そのため、インクの着弾後、時間の経過によりインクが拡がると、例えば図に示したように、複数の色のインクが重なって滲みが発生する。また、滲み幅Ｗは、時間の経過と共に拡がることとなる。そのため、紫外線の照射のタイミングは、例えば、印刷精度に応じて許容される滲み幅Ｗを考慮して適切に制御する必要がある。また、このタイミングの決定においては、硬化後のインクドットサイズや、光沢度等も考慮する必要がある。
【００４０】
図３（ｂ）は、紫外線の照射の照射前時間と、硬化後のインクの状態との関係の一例を示すグラフであり、照射前時間と、硬化後の滲み幅Ｗ、ドットサイズ、光沢度との関係の一例を示す。紫外線の照射の照射前時間とは、各色用ヘッド２０、２４によりインク滴が吐出されてから、当該インクへの紫外線の照射が開始されるまでの時間である。
【００４１】
尚、グラフにおいて、滲みのプロットは、グラフの縦軸上方に行くほど滲み幅Ｗが小さく、評価結果が良好であることを示す。ドットサイズのプロットは、縦軸上方に行くほどドットサイズが大きいことを示す。また、光沢は、縦軸上方に行くほど光沢度が高いことを示す。
【００４２】
照射前時間が長くなると、インクが硬化するまでの時間も長くなり、インクは、より拡がることとなる。そのため、滲み幅Ｗは、照射前時間の増加に従って大きくなる。その結果、滲みの評価結果は、照射前時間の増加に従って悪化する。また、ドットサイズは、照射前時間の増加に従って大きくなる。更に、インクが拡がると、平坦度が高くなり、光沢度は高くなる。そのため、光沢度も、照射前時間の増加に従って大きくなる。
【００４３】
グラフからわかるように、滲み幅Ｗ、ドットサイズ、光沢度等を適切な範囲に制御するためには、照射前時間を適切な範囲に設定することが重要である。また、照射前時間と滲み幅Ｗ、ドットサイズ、光沢度等との関係は、インクの特性により異なる。そのため、高い精度で高精細な印刷を行うためには、印刷装置１０で用いるそれぞれのインク毎に、照射前時間を個別に設定することが好ましいことがわかる。
【００４４】
ここで、図１を用いて説明したように、本例において、各色用ヘッド２０、２４と、各色インク用光源部２２とのＹ方向における距離は、各色用ヘッド２０、２４から吐出されるインクの特性に応じて個別に設定されている。また、各色インク用光源部２２は、対応する各色用ヘッド２０、２４と共に主走査方向へ移動しつつ、その各色用ヘッド２０、２４から媒体５０上へ吐出されたインクへ紫外線を照射する。
【００４５】
この場合、媒体５０へのインクの着弾後、着弾位置まで各色インク用光源部２２が移動する時間が、照射前時間に相当する時間となる。そのため、各インクの照射前時間は、各色用ヘッド２０、２４と、各色インク用光源部２２との距離に応じて、インク毎に決まることとなる。そのため、本例によれば、照射前時間を、インク毎に個別に設定できる。また、これにより、例えば、硬化後のインクの状態を、インク毎に個別に制御できる。そのため、本例によれば、例えば、高精細な印刷を高い精度で適切に行うことができる。
【００４６】
図４は、各色用ヘッド２０、２４と各色インク用光源部２２との距離の設定の一例について説明する図であり、Ｙ色のインク滴を吐出する各色用ヘッド２０と各色インク用光源部２２との位置関係の一例を示す。尚、各色インク用光源部２２との間の距離以外の点については、他の色のインク滴を吐出する各色用ヘッド２０、２４も、図示した各色用ヘッド２０と同一又は同様である。
【００４７】
本例において、各色用ヘッド２０は、Ｘ方向へ複数のノズルが並ぶノズル列１０２を複数列有する。また、各色インク用光源部２２は、紫外線の光源として、ノズル列１０２と平行に並ぶ複数のＵＶＬＥＤ１０４を有する。ＵＶＬＥＤ１０４は、例えば、紫外線を発生する発光ダイオードのモジュールである。
【００４８】
また、各色用ヘッド２０に対応する２個の各色インク用光源部２２は、各色用ヘッド２０から吐出されるインクの特性に応じて予め設定された距離を空けて、各色用ヘッド２０に隣接して設けられる。この距離は、例えば、インク拡散速度や、インクを硬化させるのに必要な紫外線の累積強度等のインクの特性に応じて、インクの色毎に個別に設定される。
【００４９】
ここで、本例において、各色インク用光源部２２は、各色用ヘッド２０と共に、Ｙ方向へのスキャン動作を行う。この場合、媒体５０の各位置へ各色インク用光源部２２が到達する時間は、各色用ヘッド２０よりも、各色用ヘッド２０との距離の移動に要する時間だけ遅れることとなる。また、その結果、各インクに対応する照射前時間は、各色用ヘッド２０と各色インク用光源部２２との距離に応じて決まることとなる。すなわち、本例において、各色用ヘッド２０と各色インク用光源部２２との主走査方向における距離は、当該距離を各色インク用光源部２２が移動する移動時間が各色用ヘッド２０から吐出されるインクに対応する照射前時間となる距離となる。
【００５０】
そして、この距離は、インクの特性に応じて設定されている。そのため、本例において、照射前時間は、インクの特性に応じて、複数種類のインクのそれぞれ毎に設定される。また、この設定により、各色用ヘッド２０は、インクの特性に応じて設定された照射前時間が経過したタイミングで、媒体５０上のインクへ紫外線を照射する。
【００５１】
本例によれば、例えば、先ず、ＣＭＹＫインクの各色のインクに対し、個別の照射前時間を適切に設定できる。これにより、ＣＭＹＫインクの各色のインクに対して、インクの硬化までの時間を適切に制御できる。また、色毎に照射前時間を設定することにより、各色のインクのドットサイズを、例えば筋ムラ等の発生しない適正な大きさに設定できる。また、例えば、インクの色や用途に合わせて、光沢度、滲み、ドットサイズのバランスを適切に設定できる。更には、色毎の特性の違いを適切に補正できる。
【００５２】
更に、本例においては、滲み等の考慮が不要な全面印刷用のインクである白色、クリア色のインクに対しても、個別の照射前時間を適切に設定できる。そして、全面印刷用のインクに対し、各色用ヘッド２４と各色用ヘッド２０との距離は、ＣＭＹＫインクの各色のインクに対応する距離よりも大きく設定される。これにより、全面印刷用のインクの照射前時間は、ＣＭＹＫインクの各色に対応する照射前時間よりも長くなる。そのため、本例によれば、例えば、全面印刷用のインクを、ＣＭＹＫインクよりも広い範囲に拡散させることができる。また、これにより、全面印刷を効率よく適切に行うことができる。
【００５３】
尚、本例において、各色用ヘッド２０と各色インク用光源部２２との距離とは、例えば、図中にＬＹと示したような、各色用ヘッド２０のＹ方向中央と、各色インク用光源部２２のＹ方向中央との距離である。各色用ヘッド２０と各色インク用光源部２２との距離は、他の箇所を基準とした距離であってもよい。例えば、この距離として、ノズル列１０２のＹ方向中央と、ＵＶＬＥＤ１０４のＹ方向中央等の距離を用いることもできる。この場合も、インク毎の特性に応じて距離を設定することにより、各色のインク毎の照射前時間を適切に設定できる。
【００５４】
図５は、印刷ヘッド部１４及び紫外線照射部１６の配置の他の例を示す。尚、以下に説明する点を除き、印刷装置１０の構成は、図１〜４を用いて説明した印刷装置１０と同一又は同様である。
【００５５】
本例の印刷ヘッド部１４において、各色用ヘッド２０、２４は、媒体５０（図１参照）の搬送方向へ並べて設けられる。また、紫外線照射部１６においては、それぞれの各色用ヘッド２０、２４に対して１個の各色インク用光源部２２が、対応する各色用ヘッド２０、２４の搬送方向下流側にそれぞれ設けられる。
【００５６】
また、各色用ヘッド２０、２４と各色インク用光源部２２との搬送方向における距離（ＬＷ、ＬＣＬ、ＬＹ、ＬＭ、ＬＣ、ＬＫ）は、各色用ヘッド２０、２４から吐出されるインクの特性に応じて個別に設定される。本例において、各色用ヘッド２０、２４と各色インク用光源部２２との距離は、例えば、その距離を媒体５０が搬送される搬送時間が設定すべき照射前時間となるように設定される。
【００５７】
本例においても、例えば、ＣＭＹＫインク各色のインク及び白色又はクリア色等の全面印刷用のインクに対し、個別の照射前時間を適切に設定できる。また、これにより、各色のインクに対して、インクの硬化までの時間を適切に制御できる。
【００５８】
尚、本例において、印刷装置１０は、例えば、フルライン型のワンパスインクジェットプリンタであってよい。この場合、各色用ヘッド２０、２４は、例えば、媒体５０の幅よりも長くＹ方向へ延伸するフルライン型のインクジェットヘッドである。印刷装置１０は、図１に示した印刷装置１０と同様に、スキャン方式で印刷を行うインクジェットプリンタであってもよい。
【００５９】
図６は、印刷ヘッド部１４及び紫外線照射部１６の配置の更なる他の例を示す。尚、以下に説明する点を除き、印刷装置１０の構成は、図１〜４を用いて説明した印刷装置１０と同一又は同様である。
【００６０】
本例において、印刷ヘッド部１４は、ＣＭＹＫの各色、白色、及びクリア色のインク用のノズル列１０２がＹ方向に並べて設けられた一のインクジェットヘッドにより構成される。印刷ヘッド部１４は、Ｙ方向へのスキャン動作により、媒体５０上の各位置へインク滴を吐出する。
【００６１】
また、紫外線照射部１６は、Ｙ方向において印刷ヘッド部１４を挟むように設けられた２個の光源部２６を有する。光源部２６は、例えば各色インク用光源部２２（図４参照）と同一又は同様の構成を有する。光源部２６は、印刷ヘッド部１４と共にスキャン動作を行うことにより、媒体５０上のインクへ紫外線を照射する。
【００６２】
また、本例において、各色のインクに対応する照射前時間は、印刷装置１０の動作を制御するプログラム中において設定される。制御部１２（図１参照）は、予め設定されたシーケンスに従って、紫外線照射部１６を適宜点灯及び消灯する。
【００６３】
例えば、本例において、印刷装置１０は、全面印刷用の白色及びクリア色のインクによる印刷動作を、ＣＭＹＫインクによる印刷動作の前又は後に別途行う。そして、全面印刷用のインクによる印刷動作時と、ＣＭＹＫインクの各色インクによる印刷動作時とで、インク滴の吐出、及び紫外線の照射のタイミングを異ならせる。
【００６４】
例えば、全面印刷用のインクによる印刷動作を行う場合、印刷ヘッド部１４は、スキャン動作の往路においてのみ、インク滴を吐出する。また、紫外線照射部１６は、スキャン動作の復路においてのみ、紫外線を照射する。このように構成すれば、例えば、全面印刷用のインクに対して、長い照射前時間を適切に確保できる。また、これにより、全面印刷を効率よく行うことができる。
【００６５】
一方、ＣＭＹＫインクによる印刷を行う場合、印刷ヘッド部１４は、スキャン動作の往路及び復路の両方において、インク滴を吐出する。また、紫外線照射部１６は、スキャン動作の往路及び復路の両方において、紫外線を照射する。このように構成すれば、全面印刷用のインクよりも小さなドットサイズ及び滲み幅で、ＣＭＹＫインクを適切に硬化させることができる。
【００６６】
本例においても、全面印刷用のインクとＣＭＹＫインクのそれぞれに求められるドットサイズ等の違いに応じて、全面印刷用のインクと、ＣＭＹＫインクとのそれぞれに対し、異なる照射前時間を適切に設定できる。また、これにより、各色のインクに対して、インクの硬化までの時間を適切に制御できる。
【００６７】
尚、本例において、ＣＭＹＫインクの各色のインクは、例えば、媒体５０上の同じ位置に対し、それぞれ異なるタイミングで、順次媒体５０に着弾する。そのため、紫外線照射部１６は、例えば、各色のインクの着弾タイミングの時間差を更に考慮して、紫外線を照射してもよい。このようにすれば、例えば、色毎の硬化のタイミングを、より適切に制御できる。また、これにより、印刷の画質を更に向上させることができる。
【００６８】
以上、本発明を実施形態を用いて説明したが、本発明の技術的範囲は上記実施形態に記載の範囲には限定されない。上記実施形態に、多様な変更又は改良を加えることが可能であることが当業者に明らかである。その様な変更又は改良を加えた形態も本発明の技術的範囲に含まれ得ることが、特許請求の範囲の記載から明らかである。
【産業上の利用可能性】
【００６９】
本発明は、例えば印刷装置に好適に利用できる。
【図面の簡単な説明】
【００７０】
【図１】本発明の一実施形態に係る印刷装置１０の構成の一例を示す図である。
【図２】媒体５０へのインク滴の着弾からインクの定着までの様子の一例を示す図である。図２（ａ）は、媒体５０へ着弾する直前のインク滴の状態の一例を示す。図２（ｂ）は、媒体５０へ着弾した直後のインクの状態の一例を示す。図２（ｃ）は、各色インク用光源部２２による紫外線の照射開始直後の状態の一例を示す。図２（ｄ）は、硬化により媒体５０に定着したインクの状態の一例を示す。
【図３】紫外線の照射のタイミングの影響の一例を説明する図である。図３（ａ）は、紫外線の照射のタイミングと滲み幅Ｗの関係の一例を示す。図３（ｂ）は、紫外線の照射の照射前時間と、硬化後のインクの状態との関係の一例を示すグラフである。
【図４】各色用ヘッド２０、２４と各色インク用光源部２２との距離の設定の一例について説明する図である。
【図５】印刷ヘッド部１４及び紫外線照射部１６の配置の他の例を示す図である。
【図６】印刷ヘッド部１４及び紫外線照射部１６の配置の更なる他の例を示す図である。
【符号の説明】
【００７１】
１０・・・印刷装置、１２・・・制御部、１４・・・印刷ヘッド部、１６・・・紫外線照射部、１８・・・ローラ、２０・・・各色用ヘッド、２２・・・各色インク用光源部、２４・・・各色用ヘッド、２６・・・光源部、１０２・・・ノズル列、１０４・・・ＵＶＬＥＤ
【図１】
2010005934.tif 000003
【図２】
2010005934.tif 000004
【図３】
2010005934.tif 000005
【図４】
2010005934.tif 000006
【図５】
2010005934.tif 000007
【図６】
2010005934.tif 000008